(57)【要約】本発明はオンライン上で広告をストーリー化して作った一組のプレイングカードを用いて会員（顧客）にカードゲームをサービスすれば、ゲームと広告が不可分の関係になり、ゲームに参加したプレーヤーにとってゲームとともにプレイングカードに内在された広告を面白く、また興味深く楽しむことができるようにする広告方法及びそのシステムに関するものである。本発明の実施例によるプレイングカードゲームによる広告システムは、複数のプレーヤー端末がネットワークを介してゲームサーバーに接続し、広告をストーリー化して作った一組のプレイングカード（以下、‘カード’）を用いてゲームを進め、前記ゲームサーバーは、複数のプレーヤー端末にカード配列板を含むゲーム進行画面を出力し、前記カードを、多数のプレーヤーカード（プレーヤーホルディングカード）、場カード（場オープンカード）、場待機カード（場クローズカード）として分配し、プレーヤーがプレーヤー端末を介してゲームを進めて場カードを獲得する場合、該当プレーヤーのカード配列板に獲得したカードを移動させて配列し、カードの連結組合せによって点数を付与し、ゲームの進行過程で連結組合せが変わる場合、連結組合せによって得点数を自動で変更してプレーヤー端末に提供することを特徴とする。【選択図】  図３
2021512401.tif 000002
【特許請求の範囲】
【請求項１】
複数のプレーヤー端末がネットワークを介してゲームサーバーに接続し、広告をストーリー化して作った一組のプレイングカード（以下、‘カード’）を用いてゲームを進め、
前記ゲームサーバーは、複数の前記プレーヤー端末にカード配列板を含むゲーム進行画面を出力し、前記カードを、多数のプレーヤーカード（プレーヤーホルディングカード）、場カード（場オープンカード）、場待機カード（場クローズカード）として分配し、
プレーヤーが前記プレーヤー端末を介してゲームを進めて前記場カードを獲得する場合、前記プレーヤーの前記カード配列板に獲得したカードを移動させて配列し、カードの連結組合せによって点数を付与し、ゲームの進行過程で連結組合せが変わる場合、連結組合せによって得点数を自動で変更して前記プレーヤー端末に提供し、
前記ゲームサーバーは、前記プレーヤーが前記カード配列板に前記プレイングカードを配列すれば、前記プレイングカードに内在されたストーリーテリング広告を出力し、前記ゲーム進行画面のプレーヤー別商品広告窓に前記ストーリーテリング広告に関連した商品広告を出力することを特徴とする、プレイングカードゲームによる広告システム。
【請求項２】
複数の前記プレーヤー端末は第１及び第２プレーヤー端末であり、多数の前記プレーヤーカードは第１及び第２プレーヤーカードであることを特徴とする、請求項１に記載のプレイングカードゲームによる広告システム。
【請求項３】
前記カード配列板はゲームに用いられるカードと同一に配列されるように構成され、各前記プレーヤーに１個ずつ提供され、各前記プレーヤーがゲーム過程で獲得したカードが配列されることを特徴とする、請求項１に記載のプレイングカードゲームによる広告システム。
【請求項４】
前記カード配列板は配列されたカードの連結組合せによって得点数が異なって賦課されるようにする得点数判定の基準となり、カードに内在された広告ストーリーを一目瞭然に現すことを特徴とする、請求項１又は３に記載のプレイングカードゲームによる広告システム。
【請求項５】
前記ゲーム進行画面は、中間に前記プレーヤーカード（プレーヤーホルディングカード）、前記場カード（場オープンカード）、前記場待機カード（場クローズカード）が位置し、その左側にプレーヤー別の前記カード配列板が位置し、その右側に前記プレーヤー別商品広告窓とチャットウィンドーが位置することを特徴とする、請求項１に記載のプレイングカードゲームによる広告システム。
【請求項６】
前記カードはその手順の違いを区分するために数字が表示され、各数字ごとに４枚のカードを備え、同じ数字の４枚のカードごとに違いを区分するために他の文様が表示されることを特徴とする、請求項１に記載のプレイングカードゲームによる広告システム。
【請求項７】
前記数字と文様はカードの一側上部又は下部に小さく表示され、広告をストーリー化する文字又はイメージはカードの中間に数字と文様より大きく表示されることを特徴とする、請求項６に記載のプレイングカードゲームによる広告システム。
【請求項８】
前記ゲームサーバーは、獲得したカードで前記カード配列板に前記広告ストーリーを完成させた前記プレーヤー、又はゲームの終了の際に累積得点数が相対的に高い前記プレーヤーに応募券を発行し、抽選によって当籤金を支給することを特徴とする、請求項１に記載のプレイングカードゲームによる広告システム。
【請求項９】
第１及び第２プレーヤー端末がネットワークを介してゲームサーバーに接続し、広告をストーリー化して作った一組のプレイングカード（以下、‘カード’）を用いてゲームを進めることにおいて、
（ａ）前記ゲームサーバーで前記第１及び第２プレーヤー端末にカード配列板を含むゲーム進行画面を出力する段階と、
（ｂ）前記ゲームサーバーで、カードを第１及び第２プレーヤーホルディングカード、場オープンカード、場クローズカードとして分配し、第１及び第２プレーヤーカードを前記第１及び第２プレーヤー端末にそれぞれ提供する段階と、
（ｃ）前記第１及び第２プレーヤー端末のいずれか一つのプレーヤー端末でゲームを進めて場オープンカードを獲得する場合、前記プレーヤー端末の前記カード配列板で獲得したカードを移動させて配列する段階と、
（ｄ）前記カード配列板に配列されたカードの連結組合せによって得点を賦課する段階と、
（ｅ）前記カードの連結組合せが変更される場合、現在得点に対して点数を加減する段階と、
（ｆ）前記（ｃ）段階〜（ｅ）段階をプレーヤーカードが消尽されるまで繰り返して前記第１及び第２プレーヤー端末に一局のゲームに対する得点数を賦課する段階と、
（ｇ）前記（ａ）段階〜（ｆ）段階を最後の局のゲームまで繰り返し行って全体ゲームに対する得点数を累積する段階と、
（ｈ）累積得点数が相対的に高い前記プレーヤーを勝者に決定する段階とを行い、
前記ゲームサーバーは、前記プレーヤーが前記カード配列板に前記プレイングカードを配列すれば、前記プレイングカードに内在されたストーリーテリング広告を出力し、前記ゲーム進行画面のプレーヤー別商品広告窓に前記ストーリーテリング広告に関連した商品広告を出力することを特徴とする、プレイングカードゲームによる広告方法。
【請求項１０】
前記ゲームサーバーは、前記カード配列板をゲームに用いられるカードと同一に配列されるように構成し、前記プレーヤーに１個ずつ提供し、各前記プレーヤーがゲーム過程で獲得したカードを前記カード配列板に配列することを特徴とする、請求項９に記載のプレイングカードゲームによる広告方法。
【請求項１１】
前記ゲームサーバーは、前記ゲーム進行画面の中間にプレーヤーカード（プレーヤーホルディングカード）、場カード（場オープンカード）、場待機カード（場クローズカード）を位置させ、その左側にプレーヤー別の前記カード配列板を位置させ、その右側に前記プレーヤー別商品広告窓とチャットウィンドーを位置させることを特徴とする、請求項９に記載のプレイングカードゲームによる広告方法。
【請求項１２】
前記ゲームサーバーは、前記カード配列板の縦１列を４欄から構成し、前記カード配列板に配列されるカードが縦１列を完成させることができなかった場合はカード当たり１点、縦１列全体を完成させた場合はカード当たり２点、縦２列全体を連続して完成させた場合はカード当たり３点のように、縦列を完成させる度に算術級数的に得点数を付与することを特徴とする、請求項９に記載のプレイングカードゲームによる広告方法。
【請求項１３】
前記ゲームサーバーは、前記カード配列板の横１列を、広告ストーリーを完成させることができる多数の欄から構成し、横１列全体を完成させる場合は全体得点の２倍、横２列全体を完成させる場合は全体得点の４倍のように、横列を完成させる度に幾何級数的に得点数を付与することを特徴とする、請求項１２に記載のプレイングカードゲームによる広告方法。
【請求項１４】
前記ゲームサーバーは、前記プレーヤーが前記カード配列板の横１列全体を完成させる度に前記プレーヤー端末に応募券を発行するか、又は勝者となった前記プレーヤーの端末に前記応募券を発行することを特徴とする、請求項１３に記載のプレイングカードゲームによる広告方法。
【請求項１５】
前記ゲームサーバーは、前記応募券を抽選して当籤者に当籤金を支給し、前記当籤金はゲームを進めることによって発生する広告売上高の中で一定の比率を積立して準備することを特徴とする、請求項１４に記載のプレイングカードゲームによる広告方法。
【請求項１６】
前記ゲームサーバーは、前記プレーヤーがゲームを進めているうち、チョク、スル、タダク、手爆弾又は場爆弾を行う場合、相手プレーヤーの前記カード配列板に配列されたカード１枚を持って来ることができる権限を付与し、前記プレーヤー端末で前記カード１枚を任意に選択（クリック）すれば、選択カードを前記プレーヤーの前記カード配列板に移動させて配列することを特徴とする、請求項９に記載のプレイングカードゲームによる広告方法。
【発明の詳細な説明】
【技術分野】
【０００１】
本発明はプレイングカードゲームによる広告方法及びそのシステムに関するもので、より詳しくはオンライン上で、広告をストーリー化して作った一組のプレイングカードを用いて会員（顧客）にカードゲームをサービスすれば、ゲームと広告が不可分の関係になり、ゲームに参加したプレーヤーにとってゲームとともにプレイングカード内に内在された広告を面白く、また、興味深く楽しむことができるようにする広告方法及びそのシステムに関するものである。
【背景技術】
【０００２】
現在オンラインはオフラインとともに人類の普遍的活動領域になり、時間と空間の制約を受けないという側面でオフラインより多様な形態の活動が活発に行われており、このような趨勢は技術の進歩によって一層加速化するであろう。
【０００３】
このようなオンラインの飛躍的な発展にもかかわらず、賭博、不法動画、ハッキングなど、多くの分野で多様な形態の問題点が発生し、特に本発明の対象となる花札及びポーカーなどのプレイングカードゲームは老若男女が楽しむ国民的ゲームでありながらも１９歳以上のみ用いることができる射幸性ゲームであるという烙印を押されている問題点がある。
【０００４】
実例として、花札、ポーカーなどのプレイングカードゲームは不法賭博ウェブサイトでお金をかけて相手のお金を取る、言葉通り賭博として用いられており、合法的なウェブサイトを介してゲームマネーを購買し、個人間のゲームによってゲームマネーがやり取りされるという娯楽用の遊びを行っているようであるが、そのゲームマネーが外部両替屋を介して現金化されて実質的に賭博に用いられているという射幸性の是非が依然としてあるからである。
【０００５】
このような問題点を改善するために、韓国政府は、不法ウェブサイトの場合、法律で厳しく処罰しているが、合法的なウェブサイトの場合、プレイングカードゲームを規制する法案を作り、個人当たり購買可能なゲームマネーが月５０万ウォンを超えることができず、ゲーム当たりゲームマネーの限度を決定してそれ以上を超えることができないようにし、一定金額以上のゲームマネーを有する会員はゲームマネーを売ることができないように特定のゲームルームの選択を制限するなど、プレイングカードゲームを賭博として用いることができないように法的手段で強力に措置している実情である。
【０００６】
それにもかかわらず、オンライン上では不法賭博サイトが氾濫しており、合法的なウェブサイトであると言っても、韓国政府が決めた娯楽用の月５０万ウォンという金額が決して少ない金額ではなく、さらに賭博を介して喜悦を感じて機会をつかもうとする人間の欲求がなくならない限り、オンラインだけではなくオフラインでも依然として問題である。
【０００７】
したがって、このような問題点を解決するためには、大衆的なゲームとして用いられるプレイングカードゲームが今のような射幸性問題から脱してより健全でありながらもより面白い構成を有する新しい形態のゲームに進化しなければならないであろう。
【０００８】
一方、オンライン広告は、オンラインでのみ提供することができる独創的なキーワード広告を含めてディスプレイ広告又は動画広告を介して会員（顧客）に提供されているが、キーワード広告は検索語を用いて特定の商品及びサービスを用いる極少数の会員（顧客）にのみ伝達される限界があり、それ以外の広告はオンライン上で洪水のように氾濫するから、広告に対する拒否感及び無関心はもちろんのこと、ウェブページの空間的限界のため、会員（顧客）の目と耳を引くことが容易でない問題点がいつも存在する。
【０００９】
このような問題点を解決するために、最近では大衆的なゲームを用いて多様な形態の広告が提供されているが、これも広告がゲームへの集中力を落とすという問題点が発生し、該当広告がゲームとの連関性が少ない場合、該当広告が露出されても高い広告効果を達成しにくいという問題点があった。
【発明の概要】
【発明が解決しようとする課題】
【００１０】
本発明はこのような問題点を解決するために案出されたものであり、広告をストーリー化して作った一組のプレイングカードを用いて顧客にカードゲームを提供することにより、ゲームと広告が一体化して、ゲームに参加したプレーヤーにとってゲームを含めた該当広告が面白くて興味深いものであると認知させるようにするプレイングカードゲームによる広告方法及びそのシステムを提供することをその目的とする。
【００１１】
また、本発明の目的は、ゲームマネーがやり取りされる射幸性ゲーム方式ではなく、ゲームで得られる得点を互いに比較して勝者を決定する得点比較方式のプレイングカードゲームを提供することにより、プレイングカードゲームがゲームマネーのやり取りされるいわゆる射幸性ゲームであるという従来の問題点を解消し、より健全でありながらも興行性は保障するプレイングカードゲームによる広告方法及びそのシステムを提供することである。
【００１２】
また、本発明の目的は、ゲームに参加したプレーヤーがゲームを介してカード配列板にプレイングカードを配列することで、プレイングカードに内在された広告ストーリーがカード配列板に一目瞭然に現れるようにするプレイングカードゲームによる広告方法及びそのシステムを提供することである。
【００１３】
また、本発明の目的は、ゲームに参加したプレーヤーが自身のカード配列板に広告ストーリーを完成させる度に応募券を発行し、抽選によって、広告売上げで造成された当籤金を支給することにより、ゲームへの注目度を高めるだけでなく、広告ストーリーに対する注目度を大きく向上させることができるプレイングカードゲームによる広告方法及びそのシステムを提供することである。
【００１４】
また、本発明の目的は、ゲームに参加したプレーヤーが勝利する度に該当プレーヤーに応募券を発行し、抽選によって、広告売上げで造成された当籤金を支給することにより、ゲームへの注目度を高めるだけでなく、広告を提供する企業に対する親密度を大きく向上させることができるプレイングカードゲームによる広告方法及びそのシステムを提供することである。
【００１５】
また、本発明の目的は、ゲームが始まって終わるまで広告が露出されることにより、ゲームに参加したプレーヤーに広告を深く印象付けることができるプレイングカードゲームによる広告方法及びそのシステムを提供することである。
【００１６】
また、本発明の目的は、ゲーム窓の一側にカード配列板を用いて企業ブランドを認識させるストーリーテリング広告に連関した商品広告を追加することにより、広告の完成度をより向上させることができるプレイングカードゲームによる広告方法及びそのシステムを提供することである。
【００１７】
また、本発明の目的は、会員（顧客）がゲームに参加する度に多様な形態の広告ストーリーがプレイングカードを介して提供されることにより、ゲームを興味深くするだけでなく、広告に対する好奇心を大きく高め、興味を引くことができるプレイングカードゲームによる広告方法及びそのシステムを提供することである。
【課題を解決するための手段】
【００１８】
上述した目的を達成するための本発明の実施例によるプレイングカードゲームによる広告システムは、複数のプレーヤー端末がネットワークを介してゲームサーバーに接続し、広告をストーリー化して作った一組のプレイングカード（以下、‘カード’）を用いてゲームを進め、前記ゲームサーバーは、複数のプレーヤー端末にカード配列板を含むゲーム進行画面を出力し、前記カードを、多数のプレーヤーカード（プレーヤーホルディングカード）、場カード（場オープンカード）、場待機カード（場クローズカード）として分配し、プレーヤーがプレーヤー端末を介してゲームを進めて場カードを獲得する場合、該当プレーヤーのカード配列板に獲得したカードを移動させて配列し、カードの連結組合せによって点数を付与し、ゲームの進行過程で連結組合せが変わる場合、連結組合せによって得点数を自動で変更してプレーヤー端末に提供することを特徴とする。
【００１９】
また、複数の前記プレーヤー端末は第１及び第２プレーヤー端末であり、前記多数のプレーヤーカードは第１及び第２プレーヤーカードであることを特徴とする。
【００２０】
また、前記カード配列板はゲームに用いられるカードと同一に配列されるように構成され、各プレーヤーに１個ずつ提供され、各プレーヤーがゲーム過程で獲得したカードが配列されることを特徴とする。
【００２１】
また、前記カード配列板は配列されたカードの連結組合せによって得点数が異なって賦課されるようにする得点数判定の基準となり、カードに内在された広告ストーリーを一目瞭然に現すことを特徴とする。
【００２２】
また、前記ゲーム進行画面は、中間にプレーヤーカード（プレーヤーホルディングカード）、場カード（場オープンカード）、場待機カード（場クローズカード）が位置し、その左側にプレーヤー別カード配列板が位置し、その右側にプレーヤー別商品広告窓とチャットウィンドーが位置することを特徴とする。
【００２３】
また、前記カードはその手順の違いを区分するために数字が表示され、各数字ごとに４枚のカードを備え、同じ数字の４枚のカードごとに違いを区分するために他の文様が表示されることを特徴とする。
【００２４】
また、前記数字と文様はカードの一側上部又は下部に小さく表示され、広告をストーリー化する文字又はイメージはカードの中間に数字と文様より大きく表示されることを特徴とする。
【００２５】
また、前記ゲームサーバーは、獲得したカードでカード配列板に広告ストーリーを完成させたプレーヤー、又はゲームの終了の際に累積得点数が相対的に高いプレーヤーに応募券を発行し、抽選によって当籤金を支給することを特徴とする。
【００２６】
本発明の一実施例によるプレイングカードゲームによる広告方法は、第１及び第２プレーヤー端末がネットワークを介してゲームサーバーに接続し、広告をストーリー化して作った一組のプレイングカード（以下、‘カード’）を用いてゲームを進めることにおいて、（ａ）前記ゲームサーバーで第１及び第２プレーヤー端末にカード配列板を含むゲーム進行画面を出力する段階と、（ｂ）前記ゲームサーバーで、カードを第１及び第２プレーヤーホルディングカード、場オープンカード、場クローズカードとして分配し、第１及び第２プレーヤーカードを第１及び第２プレーヤー端末にそれぞれ提供する段階と、（ｃ）前記第１及び第２プレーヤー端末のいずれか一つのプレーヤー端末でゲームを進めて場オープンカードを獲得する場合、該当プレーヤー端末のカード配列板で獲得したカードを移動させて配列する段階と、（ｄ）前記カード配列板に配列されたカードの連結組合せによって得点を賦課する段階と、（ｅ）前記カードの連結組合せが変更される場合、現在得点に対して点数を加減する段階と、（ｆ）前記（ｃ）段階〜（ｅ）段階をプレーヤーカードが消尽されるまで繰り返して第１及び第２プレーヤー端末に一局のゲームに対する得点数を賦課する段階と、（ｇ）前記（ａ）段階〜（ｆ）段階を最後の局のゲームまで繰り返し行って全体ゲームに対する得点数を累積する段階と、（ｈ）前記累積得点数が相対的に高いプレーヤーを勝者に決定する段階とを行い、前記ゲームサーバーは、プレーヤーがカード配列板にプレイングカードを配列すれば、プレイングカードに内在されたストーリーテリング広告を出力し、前記ゲーム進行画面のプレーヤー別商品広告窓に該当ストーリーテリング広告に関連した商品広告を出力することを特徴とする。
【００２７】
また、前記ゲームサーバーは、カード配列板をゲームに用いられるカードと同一に配列されるように構成し、プレーヤーに１個ずつ提供し、各プレーヤーがゲームの過程で獲得したカードをカード配列板に配列することを特徴とする。
【００２８】
また、前記ゲームサーバーは、ゲーム進行画面の中央にプレーヤーカード（プレーヤーホルディングカード）、場カード（場オープンカード）、場待機カード（場クローズカード）を位置させ、その左側にプレーヤー別カード配列板を位置させ、その右側にプレーヤー別商品広告窓とチャットウィンドーを位置させることを特徴とする。
【００２９】
また、前記ゲームサーバーは、プレーヤーがカード配列板にプレイングカードを配列すれば、プレイングカードに内在されたストーリーテリング広告を出力し、前記商品広告窓に該当ストーリーテリング広告に関連した商品広告を出力することを特徴とする。
【００３０】
また、前記ゲームサーバーは、カード配列板の縦１列を４欄で構成し、カード配列板に配列されるカードが縦１列を完成させることができなかった場合はカード当たり１点、縦１列全体を完成させた場合はカード当たり２点、縦２列全体を連続して完成した場合はカード当たり３点のように、縦列を完成させる度に算術級数的に得点数を付与することを特徴とする。
【００３１】
また、前記ゲームサーバーは、カード配列板の横１列を、広告ストーリーを完成させることができる多数の欄から構成し、横１列全体を完成させる場合は全体得点の２倍、横２列全体を完成させる場合は全体得点の４倍のように、横列を完成させる度に幾何級数的に得点数を付与することを特徴とする。
【００３２】
また、前記ゲームサーバーは、プレーヤーがカード配列板の横１列全体を完成させる度に該当プレーヤー端末に応募券を発行するか、又は勝者となったプレーヤーの端末に応募券を発行することを特徴とする。
【００３３】
また、前記ゲームサーバーは、応募券を抽選して当籤者に当籤金を支給し、前記当籤金はゲームを進めることによって発生する広告売上高の中で一定の比率を積み立てて準備することを特徴とする。
【００３４】
そして、前記ゲームサーバーは、プレーヤーがゲームを進めているうち、チョク、スル、タダク、手爆弾又は場爆弾を行う場合、相手プレーヤーのカード配列板に配列されたカード１枚を持って来ることができる権限を付与し、該当プレーヤー端末で前記カード１枚を任意に選択（クリック）すれば、選択したカードを該当プレーヤーのカード配列板に移動させて配列することを特徴とする。
【発明の効果】
【００３５】
上述した技術的解決方法によれば、広告をストーリー化して作った一組のプレイングカードを用いてカードゲームを提供することにより、ゲームと広告が一体化して、ゲームに参加したプレーヤーにとってゲームを含めて該当広告を面白くて興味深いものとして認知させることができる。
【００３６】
また、ゲームに参加したプレーヤーがゲームを介してカード配列板にプレイングカードを配列すれば、プレイングカードに内在された広告ストーリーをカード配列板に一目瞭然に現すことができる。
【００３７】
また、ゲームに参加したプレーヤーがカードに内在された広告ストーリーをカード配列板に完成させる度に応募券を発行し、抽選によって、広告売上げで造成された当籤金を支給することにより、ゲームへの注目度を高めるだけでなく、広告ストーリーに対する注目度を大きく向上させることができる。
【００３８】
また、ゲームに参加したプレーヤーが勝利する度に該当プレーヤーに応募券を発行し、抽選によって、広告売上げで造成された当籤金を支給することにより、ゲームへの注目度を高めるだけではなく、広告を提供する企業に対する親密度を大きく向上させることができる。
【００３９】
また、ゲームが始まって終わるまで広告が常に露出されることにより、ゲームに参加したプレーヤーに広告を深く印象付けることができる。
【００４０】
また、ゲーム進行画面の右側に備えられた商品広告窓にストーリーテリング広告に連関した商品広告を出力することにより広告の完成度を向上させることができる。
【００４１】
また、プレーヤーがゲームに参加する度に多様な形態の広告ストーリーがプレイングカードを介して提供されることにより、ゲームがエキサイティングであるだけでなく、広告に対する好奇心を大きく高め、興味を引くことができる。
【００４２】
また、本発明は、プレーヤー同士でゲームマネーがやり取りされる射幸性ゲーム方式ではなく、ゲームで得られる得点を互いに比較して勝者を決定する得点比較方式のプレイングカードゲームを提供することにより、プレイングカードゲームがゲームマネーのやり取りされる射幸性ゲームという問題点をなくし、より健全でありながらも興行性は保障する新しい形態のプレイングカードゲーム文化を作り上げることができる。
【図面の簡単な説明】
【００４３】
【図１】本発明の実施例によるプレイングカードゲームによる広告システムの構成図である。
【図２】本発明の実施例によるプレイングカードゲーム方法を示すフローチャートである。
【図３】図２のプレイングカードゲーム方法と連動する広告方法を示すフローチャートである。
【図４】本発明に適用される広告ストーリー化したプレイングカードの多様な例示図である。
【図５】本発明に適用される広告ストーリー化したプレイングカードの多様な例示図である。
【図６】本発明に適用される広告ストーリー化したプレイングカードの多様な例示図である。
【図７】本発明に適用される広告ストーリー化したプレイングカードの多様な例示図である。
【図８】本発明に適用される広告ストーリー化したプレイングカードがカード配列板に配列される手順を説明するための図である。
【図９】本発明に適用される広告ストーリー化したプレイングカードがカード配列板に配列される手順を説明するための図である。
【図１０】本発明の実施例によるプレイングカードゲーム窓画面の例示図である。
【図１１】本発明の実施例によるプレイングカードゲーム窓画面を介しての広告方法を説明するための多様な例示図である。
【図１２】本発明の実施例によるプレイングカードゲーム窓画面を介しての広告方法を説明するための多様な例示図である。
【図１３】本発明の実施例によるプレイングカードゲーム窓画面を介しての広告方法を説明するための多様な例示図である。
【図１４】本発明は実施例によるプレイングカードゲームの得点方法を説明するための図である。
【図１５】本発明は実施例によるプレイングカードゲームの得点方法を説明するための図である。
【図１６】本発明は実施例によるプレイングカードゲームの得点方法を説明するための図である。
【図１７】本発明は実施例によるプレイングカードゲームの得点方法を説明するための図である。
【図１８】本発明の実施例によるプレイングカードゲームの進行の際、相手カード配列板からカードを持って来る場合の例示図である。
【図１９】本発明の実施例によるプレイングカードゲームの進行の際、勝者を決定するフローチャートである。
【図２０】本発明の実施例によるプレイングカードゲームの進行の際、応募券発行による当籤金支給過程を示すフローチャートである。
【図２１】図２０のフローチャートを説明するための例示図である。
【図２２】図２０のフローチャートを説明するための例示図である。
【図２３】図２０による一プレーヤーの応募券アカウントを示す図である。
【発明を実施するための形態】
【００４４】
まず、本発明の理解を助けるために、以下で使う用語について説明する。
【００４５】
まず、‘プレイングカード（ｐｌａｙｉｎｇ  ｃａｒｄ）’はプレイングカードゲームの媒体として使われるカードであり、ここでは広告をストーリー化して作った一組のカードを言うものであり、一組のカードを構成するそれぞれのカードには数字、文様、文字などが表示されて前記カードの１列配列（横配列、縦配列、対角線配列、特定の配列など）に広告をストーリー化することができる。
【００４６】
例えば、前記プレイングカードは、その手順の違いを区分するために、カードに数字を表示し、数字ごとに４枚のカードを構成して４枚のカードごとに違いを区分するために、文様（例えば、スペード、ダイヤモンド、ハート、クローバー）を違うように表示する。
【００４７】
ここで、数字と文様はカードの一側上部又は下部、例えば左側上部に小さく表示し、カードの中央に文字、イメージなどを、前記数字と文様より大きく表示して広告をストーリー化することができるようにする。
【００４８】
このような一組のカードは、図４で、横１０枚、縦４枚の総４０枚、図５で、横１１枚、縦４枚の総４４枚、図６で、横１２枚、縦４枚の総４８枚、図７で、横１３枚、縦４枚の総５２枚から構成されるものを示す。
【００４９】
すなわち、本発明に適用される一組のカードは多様な枚数で多様に構成することができ、図４〜図７では横配列で広告をストーリー化したものを示す。
【００５０】
‘カード配列板’はプレイングカード（以下、‘カード’）と同一に配列されるように構成され、プレーヤーがゲームで獲得したカードを手順と文様によって決まった位置に自動で配列するカード集合体である。
【００５１】
また、カード配列板は、ゲームに参加したプレーヤーに各１個ずつ提供され、プレーヤーがゲームを介して獲得したカードを配列するようにし、配列状態による得点数を賦課するゲームの役割を果たすだけでなく、プレイングカードに内在された広告が一目瞭然に現れるようにする広告（窓）の役割を同時に果たす。
【００５２】
図８で、一組のカード（図５）が横１１枚、縦４枚の総４４枚から構成される場合、カード配列板は、左から右へ横１１欄、上から下へ縦４欄の総４４欄で、一組のカードと一対一に対応して構成され、該当カード配列板の対応欄に一組のカードを構成する各カードが配列される。
【００５３】
これと同様に、図９で、一組のカード（図６）が横１２枚、縦４枚の総４８枚から構成される場合、カード配列板も左から右へ横１２欄、上から下へ縦４欄の総４８間で、一組のカードと一対一に対応して構成され、該当カード配列板の対応欄に一組のカードを構成する各カードが配列される。
【００５４】
‘局’は拳闘におけるラウンドのような概念のものであり、プレーヤーにカードを配ってゲームを始めて該当ゲームが終わるまでを１局と言う。
【００５５】
例えば、一競技当たりゲーム数を１０局に決めてゲームをすれば、最後の局にあたる１０局目ゲームが終わると最終勝者を決定する。
【００５６】
また、‘チョク’はプレーヤーが手に持っているカード一枚を場に下ろして同じカードを覆して（裏返して）取ること、‘スル’はプレーヤーが場にオープンされたカードを一度に全て取ること、‘タダク’はプレーヤーが、場にオープンされた同種のカード２枚のうち一枚は打って取り、他の一枚は覆して取ること、‘手爆弾’はプレーヤーが手に持っている同種のカード３枚で場にオープンされた同種のカード一枚を取ること、‘場爆弾’はプレーヤーが場にオープンされた同種のカード３枚を残りの一枚で取ることを意味する。
【００５７】
このような、チョク、スル、タダク、手爆弾、場爆弾の場合には、相手のカード配列板に配列されたカード一枚をクリック（選択）して自分のカード配列板に移動させて配列することができる権利を有する。
【００５８】
そして、‘得点比較方式’は、それぞれのプレーヤーがゲームの進行過程で得られる得点を各自点数板に累積し、ゲームが終わったとき、互いに得点を比較してゲームの勝者を決定する方法である。
【００５９】
この方式でゲームを進めば、プレーヤー間にゲームマネーがやり取りされることが発生しなくなるので、プレーヤーはゲームをするためにゲームマネーを購買する必要がなくなり、これにより、プレイングカードゲームの最大問題点である射倖性行為が基本的に遮断される。
【００６０】
以下、添付図面を参照して本発明の実施例の構成及び作用を説明する。
【００６１】
図１は本発明の実施例によるプレイングカードゲームによる広告システムの構成図である。
【００６２】
図１に示すように、多数のプレーヤー端末２０６、２０７はネットワーク１１０を介してゲームサーバー１００に連結され、前記ゲームサーバー１００は、ゲームＤＢ１０１と会員ＤＢ１０２とを備える。
【００６３】
プレーヤー端末２０６、２０７は、会員として加入したプレーヤーがゲームを遂行するためにゲームサーバー１００とネットワークを介して通信するための入出力装置を意味し、例えば、デスクトップ型コンピュータだけではなく、ノートブック型コンピュータ、ワークステーション、パームトップ（ｐａｌｍｔｏｐ）型コンピュータ、個人用携帯情報端末（ｐｅｒｓｏｎａｌ  ｄｉｇｉｔａｌ  ａｓｓｉｓｔａｎｔ：ＰＤＡ）、ウェブパッド、移動通信端末機（スマートフォン）などのように、有線又は無線でネットワークに接続して情報をやり取りすることができる機器から具現されることができる。
【００６４】
前記プレーヤー端末２０６、２０７は、ウェブ情報を検索するのに使われる応用プログラムであるウェブブラウザーを備え、ゲームサーバー１００に接続してゲームサーバー１００が提供するゲームページをプレーヤー端末に表示する。
【００６５】
プレーヤーがゲームページに表示されているゲーム開始ボタンをクリックすれば、ゲームを行うのに必要なさまざまな情報をゲームサーバー１００から受け、ゲームが旧バージョンの場合、新バージョンのゲームをゲームサーバーからダウンロードする。
【００６６】
プレーヤー端末２０６、２０７がゲームサーバー１００に接続してゲームを行う場合、ゲームサーバー１００からゲームの遂行に必要なデータを受け、これに基づくゲーム進行画面がプレーヤー端末に表示される。
【００６７】
ゲームサーバー１００は、オンラインゲームをプレーヤーに提供するために、ゲーム関連ウェブページをプレーヤー端末に提供し、ゲームサーバーが提供するウェブページで会員加入、プレーヤー認証処理、競技場選択及びゲーム開始などの動作を行うことができる。
【００６８】
また、ゲームを遂行するためのプログラムが組み込まれていなければ、ゲームプログラムを組込み、ゲームプログラムが旧バージョンの場合には、新バージョンのゲームクライアントにアップデートする。
【００６９】
ゲームサーバー１００はプレーヤー端末２０６、２０７と通信し、プレーヤーがオンラインを介して広告をストーリー化したプレイングカードを用いてカードゲームを遂行することができるようにする。
【００７０】
前記ゲームサーバー１００は、プレーヤーがゲームサーバー１００に接続すれば、これを会員ＤＢ１０２に知らせてプレーヤー接続情報を更新するようにし、ゲームＤＢ１０１を参照し、該当ゲームサーバー１００に開設されているゲームルームリスト及び各ゲームルームの現在状態、すなわちプレーヤーがゲームを行っている状態、一人のプレーヤーが他のプレーヤーの参加を待っている状態、空いている状態についての情報をプレーヤー端末に提供する。
【００７１】
ここで、ゲームルームはゲームが独立的に行われるサイバー空間を意味し、一つのゲームサーバーで複数のゲームルームを作ることができ、以下のゲームルームには２人のプレーヤーが入場してゲームを行うことができるものとして説明する。
【００７２】
プレーヤーはゲームルームを作るかゲームルームに参加することができ、よってゲームサーバー１００はこれについての情報をゲームＤＢ１０１に反映する。
【００７３】
また、ゲームサーバー１００は、プレーヤー端末２０６、２０７が接続する場合、既に接続されているプレーヤーについての情報をプレーヤー端末に提供する。
【００７４】
プレーヤー情報の一部、例えばプレーヤー識別子、アバター、性別、等級を先に提供し、残りの詳細情報は別にプレーヤーが要請すれば提供することができる。
【００７５】
また、プレーヤーが互いにチャットすることができるように、チャットウィンドーを作ってプレーヤー端末に提供することができる。
【００７６】
また、ゲームサーバー１００は、プレーヤーがゲームルームに入場してゲーム開始を要請すれば、カード配列板を備えたゲーム進行画面をプレーヤー端末に提供し、カードを分配し、プレーヤーの操作に基づいてプレーヤー端末とデータをやり取りしながら所定の方式でオンラインゲームを進める。
【００７７】
ここで、ゲームサーバー１００は、ゲームＤＢ１０１の点数情報を参照し、プレーヤーがゲームを進めながら獲得したカードの連結組合せ点数を計算してプレーヤー端末に伝達する。
【００７８】
ここで、ゲームが進むにつれて、プレーヤーが獲得したカードの最初得点の点数は固定化せず、カードの連結組合せ状態によって得点数が随時変化し、ときどき該当カードを含めて組合せを構成している全体カードの得点数が変化する。
【００７９】
すなわち、前記ゲームサーバー１００は、複数のプレーヤー端末にカード配列板を含むゲーム進行画面を出力し、前記カードを多数のプレーヤーカード（プレーヤーホルディングカード）、場カード（場オープンカード）、場待機カード（場クローズカード）として分配し、プレーヤーがプレーヤー端末２０６、２０７を介してゲームを進めて場カードを獲得する場合、該当プレーヤーのカード配列板で獲得したカードを移動させて配列し、カードの連結組合せによって点数を付与し、ゲームが進む過程で連結組合せが変わる場合、連結組合せによって得点数を自動で変更してプレーヤー端末に提供する。
【００８０】
また、前記ゲームサーバー１００は、プレーヤーがゲームを進める過程で前記カード配列板の横１列全体にカードを配列して広告ストーリーを完成させれば、該当プレーヤー端末に応募券を支給する。
【００８１】
また、前記ゲームサーバー１００は、カード配列板に企業ブランドを認識させるストーリーテリング広告を出力し、一側に位置する商品広告窓には該当ストーリーテリング広告に関連した商品広告を出力する。
【００８２】
また、前記ゲームサーバー１００は、多数の板（例えば、１０枚）からなる一ゲームが終了すれば、二人のプレーヤーの間に多数の局でそれぞれ付与した得点を累積し、累積得点を互いに比較して勝者（勝利したプレーヤー）を決定し、その勝者のプレーヤー端末に応募券を支給する。
【００８３】
そして、前記ゲームサーバーは、このような支給した多数の応募券を抽選して当籤者を発表し、該当当籤者に当籤金を支給する。
【００８４】
ここで、当籤金はゲームを進めることによって発生する広告売上げの一定の比率を積立して準備する。
【００８５】
前記ゲームサーバー１００に備えられるゲームＤＢ１０１と会員ＤＢ１０２にはオンラインゲームをプレーヤーに提供するのに必要な各種の情報を保存し、ゲームサーバー１００の要請によってこのような情報を提供する。
【００８６】
このような情報には、ゲームＤＢに保存されるゲーム情報、ゲームルーム関連情報、広告情報、ゲーム記録情報、応募券情報があり、会員ＤＢに保存される会員（プレーヤー）情報、当籤者情報などがある。
【００８７】
ゲーム情報は、広告をストーリー化した多数のカード情報とカードの連結組合せに対応する点数情報とを含む。
【００８８】
ゲームルーム関連情報は、ゲームルームリスト及び各ゲームルームにどのプレーヤーが入場しているかについての情報を含む。
【００８９】
広告情報は、ストーリーテリング広告と、そのストーリーテリング広告に関連した商品広告とを含む。
【００９０】
会員（プレーヤー）情報は、プレーヤー識別子、ニックネーム、アバター、年齢、性別、等級、戦績などについての情報、プレーヤーが保有している当籤金情報、プレーヤーが現在どのゲームルームに接続しているかについてのプレーヤー接続情報などを含む。
【００９１】
図２は本発明の実施例によるプレイングカードゲーム方法を示すフローチャートである。
【００９２】
図２に示すように、プレーヤー端末２０６、２０７でゲームサーバー１００にネットワーク１１０を介して接続し、ＩＤとパスワードを入力してログインを遂行した後（Ｓ２０２）、２人のプレーヤーがゲームルームに入場すれば（Ｓ２０４）、ゲームサーバー１００は後述するゲーム進行画面をプレーヤー端末にそれぞれ出力する。
【００９３】
ついで、ゲームサーバー１００は、一つのプレーヤーからゲーム開始要請を受ければ、企業の広告をストーリー化したプレイングカードを無作為に交ぜた状態で、先攻プレーヤー及び後攻プレーヤーカード（先攻プレーヤー及び後攻プレーヤーホルディングカード）、場カード（場オープンカード）、場待機カード（場クローズカード）として分配し、先後プレーヤーカードは先後プレーヤー端末にそれぞれ提供する（Ｓ２０６）。
【００９４】
ここで、１組のカードが４０枚からなる場合、以下の表１に示すように、先攻プレーヤー及び後攻プレーヤーホルディングカードは各８枚（総１６枚）、場クローズカードは１６枚、場オープンカードは８枚を分配する。
【００９５】
【表１】
2021512401.tif 000003
【００９６】
また、１組のカードが４４枚からなる場合、先攻プレーヤー及び後攻プレーヤーホルディングカードは各９枚（総１８枚）、場クローズカードは１８枚、場オープンカードは８枚を分配する。
【００９７】
また、１組のカードが４８枚からなる場合、先攻プレーヤー及び後攻プレーヤーホルディングカードは各１０枚（総２０枚）、場クローズカードは２０枚、場オープンカードは８枚を分配する。
【００９８】
また、ここで、１組のカードが５２枚からなる場合、先攻プレーヤー及び後攻プレーヤーホルディングカードは各１１枚（総２２枚）、場クローズカードは２２枚、場オープンカードは８枚を分配する。
【００９９】
一方、前記ゲーム進行画面を図１０のように構成することができ、左側上下には先攻プレーヤーカード配列板１００２と後攻プレーヤーカード配列板１０１５が位置し、その下には点数提供窓１００１、１０１３がそれぞれ位置する。
【０１００】
また、前記カード配列板１００２、１０１５のその右側には、中央に場待機カード１０１２が、その場待機カードの周りに場カード１０１１が、その場カードの上下に先攻プレーヤーカード１００６と後攻プレーヤーカード１０１０が位置し、ゲーム進行画面の右側には第１商品広告窓１００７、チャットウィンドー１００８及び第２商品広告窓１００９が位置する。
【０１０１】
また、先攻及び後攻カード配列板１００２、１０１５の下部には点数提供窓１００１、１０１３が位置し、ゲーム進行画面の最上側には応募券発行部数バー１００４と応募券当籤積立金額バー１００５とが位置する。
【０１０２】
未説明符号１００３と１０１４は先攻及び後攻プレーヤーが獲得したカードである。
【０１０３】
このように、ゲーム進行画面を構成し、左側のカード配列板１００２、１０１５を介してストーリーテリング広告を行うことができ、右側の商品広告窓１００７、１００９を商品広告することができ、これは図１１〜図１３の企業広告からも確認することができる。
【０１０４】
ついで、カードが分配された後、先攻プレーヤーがゲームを進める（Ｓ２０８）。
【０１０５】
すなわち、先攻プレーヤーが先攻プレーヤーカード（ホルディングカード）のいずれか一つのカードを場に出し、場待機カードの一つを覆して（裏返して）場カード（場オープンカード）のようなカードがあるかを確認する（Ｓ２１０）。
【０１０６】
同種のカードがある場合、ゲームサーバーは場カードを獲得したと判断し、獲得した１揃い以上のカード（図１０の１００３）を先攻プレーヤーカード配列板の該当位置に移動させて配列し（Ｓ２１２）、その配列によって新たに得点される場合、点数を付与し、これを点数提供窓に表示する（Ｓ２１４）。
【０１０７】
同種のカードがない場合、ゲームサーバーは、先攻プレーヤーカード（ホルディングカード）又は覆した場待機カードをオープンして場カードとなるようにする（Ｓ２３０）。
【０１０８】
ついで、後攻プレーヤーがゲームを進める（Ｓ２１６）。
【０１０９】
すなわち、後攻プレーヤーが後攻プレーヤーカード（ホルディングカード）のいずれか一つのカードを場に出し、場待機カードの一つを覆して（裏返して）場カード（場オープンカード）と同じ数字（月）に対応するカードがあるかを確認する（Ｓ２１８）。
【０１１０】
同種のカードがある場合、ゲームサーバーは、場カードを獲得したと判断し、獲得した１揃い以上のカード（図１０の１０１４）を後攻プレーヤーカード配列板の該当位置に移動させて配列し（Ｓ２２０）、その配列によって新たに得点される場合、点数を付与し、これを点数提供窓に表示する（Ｓ２２２）。
【０１１１】
また、後攻プレーヤーのゲームによって先攻プレーヤーカード配列板及び後攻プレーヤーカード配列板のカード連結組合せに変動事項が発生した場合（Ｓ２２４）、変更点数を付与し、これを点数提供窓に表示する（Ｓ２５０）。
【０１１２】
同種のカードがない場合、ゲームサーバーは、後攻プレーヤーカード（ホルディングカード）又は覆した場待機カードをオープンして場カードとなるようにする（Ｓ２４０）。
【０１１３】
先攻プレーヤーと後攻プレーヤーは自分のプレーヤーカード（ホルディングカード）が全部消尽されて一局が終わるまで（Ｓ２２６）繰り返し、これにより先攻プレーヤーと後攻プレーヤーは一局の点数を得る。
【０１１４】
以下の表２はカード配列板に配列されたカードの連結組合せによる点数を賦課する方法を示す例示表である。
【０１１５】
【表２】
2021512401.tif 000004
【０１１６】
カードがカード配列板に縦方向に配列される場合、各縦１列が４欄から構成され、縦に１列も完成させることができなかった場合はカード当たり１点、縦１列全体を完成させた場合はカード当たり２点、縦２列全体を連続して完成させた場合はカード当たり３点、縦３列全体を連続して完成させた場合はカード当たり４点、このようにして縦８列全体を連続して完成させた場合はカード当たり９点を賦課する（すなわち、縦配列では得点を算術級数的に賦課する）。
【０１１７】
例えば、図１４のように、カードがカード配列板に実際に配列される場合、図１５のように縦１列を完成させることができなかったカード６０１は各１点、縦１列を完成させたカード６０２は各２点、縦２列を連続して完成させたカード６０３は各３点、縦３列を連続して完成させたカード６０４は各４点、縦４列を連続して完成させたカード６０５は各５点、縦５列を連続して完成させたカード６０６は各６点の得点数を付与する。
【０１１８】
このように、縦方向のカード配列に対して得点数を付与した状態で、多数の欄からなる横１列を完成させれば、縦得点の２倍、横２列を完成させれば（連続完成に無関係に）縦得点の４倍、横３列を完成させれば（連続完成に無関係に）縦得点の８倍を賦課する（すなわち、横配列では得点を幾何級数的に賦課する）。
【０１１９】
例えば、図１６のように、カードがカード配列板に実際に配列される場合、図１７のように、横１列を完成させたカード６０７、６０８、６０９は縦得点の２倍を付与し、横２列を完成させたカード６１０、６１１、６１２は縦得点の４倍を付与する。
【０１２０】
このような図１４〜図１７のカード配列による得点数付与方式は本発明の一例を示すものであり、その他にも多様なカード配列による得点数を付与することができる。
【０１２１】
例えば、カード配列板で、４欄から構成される縦１列を完成させることができなかったカードは各１点、縦１列を完成させて左右に連結されたカードは各２点、縦２列を連続して完成させて左右に連結されたカードは各３点、このようにして縦７列を連続して完成させて左右に連結されたカードは各８点の得点数を付与することができる。
【０１２２】
図３は図２のプレイングカードゲーム方法と連動する広告方法を示すフローチャートである。
【０１２３】
図２のような手順でゲームを進める。すなわち、広告をストーリー化した一組のプレイングカードを用いてゲームを始め（Ｓ３０２）、先攻又は後攻プレーヤーがプレーヤーカードを獲得してカード配列板に移動させて配列すれば（Ｓ３０４）、プレイングカードに内在されたストーリーテリング広告を出力する（Ｓ３０６）。
【０１２４】
また、ゲームサーバーは、各プレーヤーの商品広告窓に該当ストーリーテリング広告に関連した商品広告を出力する（Ｓ３０８）。
【０１２５】
例えば、図１０で、左側のカード配列板１００２、１０１５を介してストーリーテリング広告が出力される場合、そのストーリーテリング広告に関連した商品広告が右側の第１及び第２商品広告窓１００７、１００９を介して出力される。
【０１２６】
図１８は本発明の実施例によるプレイングカードゲームの進行の際、相手のカード配列板からカードを持って来る場合の例示図である。
【０１２７】
図１８に示すように、後攻プレーヤーがゲームを進めながら、例えばチョク、スル、タダク、手爆弾、場爆弾を行った場合、ゲームサーバーは、後攻プレーヤーに先攻プレーヤーカード配列板に配列されたカードの中から１枚を持って来る権利を付与する。
【０１２８】
これにより、後攻プレーヤーが後攻プレーヤー端末を介してゲーム進行画面に表示された先攻プレーヤーカード配列板に配列された一つの特定カード（１スペード‘一’）をクリックすれば、選択された特定のカードは先攻プレーヤーカード配列板から削除され、後攻プレーヤーカード配列板に移動して配列される。
【０１２９】
これにより、先攻プレーヤーと後攻プレーヤーはカード配列が変更され、得点数が削減されるか追加されることができる。
【０１３０】
図１９は本発明の実施例によるプレイングカードゲームの進行の際、勝者を決定するフローチャートである。
【０１３１】
図２の手順で第一局のゲームを進め、先攻及び後攻プレーヤーは配列されたカードによってそれぞれ得点する（Ｓ１０００）。
【０１３２】
第一局のゲームが終了した後、次局のゲームを進めて先攻及び後攻プレーヤーが得点し（Ｓ１００２）、前記過程を最後局のゲームまで繰り返して全体のゲームを終了する（Ｓ１００４）。
【０１３３】
全体のゲームが終了すれば、ゲームサーバー１００は、各プレーヤーの判別得点数を累積し、累積点数を互いに比較し（Ｓ１００６）、より多い点数を獲得したプレーヤーを勝者に決定する（Ｓ１００８）。
【０１３４】
図２０は本発明の実施例によるプレイングカードゲームの進行の際、応募券発行による当籤金支給過程を示すフローチャートである。
【０１３５】
広告をストーリー化したカードを用いてゲームを進める途中（Ｓ１１００）、いずれか一プレーヤーが広告ストーリーを完成させることができるようにカード配列板にカードを配列した場合（Ｓ１１０２）、図２１のように、ゲームサーバー１００は応募券を発行して該当プレーヤー端末に提供する（Ｓ１１０４）。
【０１３６】
ここで、カード配列板にストーリーテリング広告が出力され、商品広告窓の画面にストーリーテリング広告に関連した商品広告が出力されることは前述したとおりである。
【０１３７】
また、ゲームを進める途中、カードの配列によって一プレーヤーに多数の応募券を発行することができる。
【０１３８】
全体ゲームが終了すれば（Ｓ１１０６）、ゲームサーバー１００は、図１９のように累積点数を比較して（Ｓ１１０８）勝者を決定し（Ｓ１１１０）、図２２のように応募券を発行して勝者の端末に提供する（Ｓ１１１２）。
【０１３９】
ついで、ゲームサーバー１００は全体ゲームが終了する度に、又は所定の期日（毎週日曜日１０時、毎月１０日、２０日、３０日など）になる度に、又は発行した応募券数が一定の数を超える度に無作為に応募券を抽選して（Ｓ１１１４）ホームページの公知などによって当籤者を発表し（Ｓ１１１６）、当籤者の口座に当籤金を支給する（Ｓ１１１８）。
【０１４０】
ここで、当籤金は広告をストーリー化したカードを用いてゲームを進めることによって発生する広告売上高の一定の比率を積立して準備する。
【０１４１】
図２３は、このようにＡプレーヤーが広告ストーリーを完成させるかゲームに勝利した場合に発行された応募券と当籤結果を示す。
【図１】
2021512401.tif 000005
【図２】
2021512401.tif 000006
【図３】
2021512401.tif 000007
【図４】
2021512401.tif 000008
【図５】
2021512401.tif 000009
【図６】
2021512401.tif 000010
【図７】
2021512401.tif 000011
【図８】
2021512401.tif 000012
【図９】
2021512401.tif 000013
【図１０】
2021512401.tif 000014
【図１１】
2021512401.tif 000015
【図１２】
2021512401.tif 000016
【図１３】
2021512401.tif 000017
【図１４】
2021512401.tif 000018
【図１５】
2021512401.tif 000019
【図１６】
2021512401.tif 000020
【図１７】
2021512401.tif 000021
【図１８】
2021512401.tif 000022
【図１９】
2021512401.tif 000023
【図２０】
2021512401.tif 000024
【図２１】
2021512401.tif 000025
【図２２】
2021512401.tif 000026
【図２３】
2021512401.tif 000027
【国際調査報告】
2021512401.tif 000028
2021512401.tif 000029
2021512401.tif 000030
2021512401.tif 000031